(57)【要約】【課題】画像データを撮影場所に即した内容で整理し、思い出の想起に適した内容で、且つ娯楽性の高いフォトアルバム・フォトムービーなどの画像作品を簡単に作成する。【解決手段】画像編集装置２は、ＣＰＵ３，ＲＯＭ４，ＲＡＭ５，ＬＣＤパネル６，操作部７、メモリカードリーダ８、及びＨＤＤ９を備える。ＨＤＤ９には、ランドマークデータベースＤＢ１及びコンテンツデータＤＢ２が記憶されている。メモリカードリーダ８に接続したメモリカード１５から位置データが付与された画像データを取得すると、ＣＰＵ３は、位置データに基づくランドマークデータを検索し、この検索結果から画像データをランドマーク毎に分類し、さらにこのランドマークに関するコンテンツデータを読み込む。ＣＰＵ３は、グループ化された画像データと、読み込まれたコンテンツデータとを組み合わせてフォトアルバムやフォトムービーを作成する。【選択図】図１
2007194948.tif 000002
【特許請求の範囲】
【請求項１】
撮影地点の位置データを付与した複数の画像データを取得する画像データ取得手段と、複数のランドマークの位置及び名称を含むランドマークデータを備えたランドマークデータベースと、前記位置データに基づいて、前記ランドマークデータベースから前記画像データの撮影地点に関連するランドマークデータを検索する検索手段と、前記検索手段による検索結果から前記画像データにランドマークデータを関連付けし、このランドマークデータ毎に前記画像データをグループ化する画像データグループ化手段と、この画像データグループ化手段でグループ化した前記画像データの前記ランドマークデータに関連するコンテンツデータを前記コンテンツデータベースから読み込み、このコンテンツデータを使用して同じグループ内の画像データを編集する画像編集手段とを備えたことを特徴とする画像編集装置。
【請求項２】
前記ランドマークデータは、大規模施設名又は大規模地域名と、この大規模施設名又は大規模地域名の中に包含される小規模施設名又は小規模地域名とから少なくとも構成され、前記コンテンツデータは、前記大規模施設名又は大規模地域名、及び前記小規模施設名又は小規模地域名毎にそれぞれ対応しており、前記画像編集手段は、前記大規模施設名又は大規模地域名に対応するコンテンツデータから前記小規模施設名又は小規模地域名に対応するコンテンツデータへ前記コンテンツデータベースから順に読み込み、それぞれのコンテンツデータと対応する画像データとを組み合わせて編集することを特徴とする請求項１記載の画像編集装置。
【請求項３】
前記検索手段によって、前記位置データに基づく複数のランドマークデータが読み込まれたとき、これら複数のランドマークデータに優先度を設定する優先度設定手段と、これら優先度が設定された複数のランドマークデータの中から選択して前記画像データに対応する１つのランドマークデータを決定する選択決定手段とを備えたことを特徴とする請求項１又は２記載の画像編集装置。
【請求項４】
前記優先度は、前記位置データに基づく撮影地点と、前記ランドマークの立地点との距離が近い順に設定されていることを特徴とする請求項３記載の画像編集装置。
【請求項５】
前記画像編集手段は、前記画像データと前記コンテンツデータとを組み合わせた動画データを少なくとも含むフォトムービーを作成することを特徴とする請求項１ないし４記載の画像編集装置。
【請求項６】
前記画像編集手段は、前記画像データと前記コンテンツデータとを組み合わせた静止画が配列されたレイアウト画像を少なくとも含むフォトアルバムを作成することを特徴とする請求項１ないし４記載の画像編集装置。
【請求項７】
撮影地点の位置データを付与した複数の画像データを取得する画像データ取得処理と、複数のランドマークの位置及び名称を含むランドマークデータを備えたランドマークデータベースから、前記位置データに基づいて、前記画像データの撮影地点に関連するランドマークデータを検索する検索処理と、この検索処理における検索結果から前記画像データにランドマークデータを関連付けし、このランドマークデータ毎に前記画像データをグループ化する画像データグループ化処理と、この画像データグループ化処理でグループ化した前記画像データの前記ランドマークデータに関連するコンテンツデータを前記コンテンツデータベースから読み込み、このコンテンツデータを使用して同じグループ内の画像データを編集する画像編集処理とをコンピュータに実行させることを特徴とする画像編集プログラム。
【請求項８】
前記ランドマークデータは、大規模施設名又は大規模地域名と、この大規模施設名又は大規模地域名の中に包含される小規模施設名又は小規模地域名とから少なくとも構成され、前記コンテンツデータは、前記大規模施設名又は大規模地域名、及び前記小規模施設名又は小規模地域名毎にそれぞれ対応しており、前記画像編集処理では、前記大規模施設名又は大規模地域名に対応するコンテンツデータから前記小規模施設名又は小規模地域名に対応するコンテンツデータへ前記コンテンツデータベースから順に読み込み、それぞれのコンテンツデータと対応する画像データとを組み合わせて編集することを特徴とする請求項７記載の画像編集プログラム。
【請求項９】
前記検索手段処理で、前記位置データに基づく複数のランドマークデータが読み込まれたとき、これら複数のランドマークデータに優先度を設定する優先度設定処理と、これら優先度が設定された複数のランドマークデータの中から選択して前記画像データに対応する１つのランドマークデータを決定する選択決定処理とを備えたことを特徴とする請求項７又は８記載の画像編集プログラム。
【請求項１０】
前記優先度は、前記位置データに基づく撮影地点と、前記ランドマークの立地点との距離が近い順に設定されていることを特徴とする請求項９記載の画像編集プログラム。
【請求項１１】
前記画像編集処理では、前記画像データと前記コンテンツデータとを組み合わせた動画データを少なくとも含むフォトムービーを作成することを特徴とする請求項７ないし１０記載の画像編集プログラム。
【請求項１２】
前記画像編集処理で、前記画像データと前記コンテンツデータとを組み合わせた静止画が配列されたレイアウト画像を少なくとも含むフォトアルバムを作成することを特徴とする請求項７ないし１０記載の画像編集プログラム。
【発明の詳細な説明】
【技術分野】
【０００１】
本発明は、画像編集装置及び画像編集プログラムに関するものである。
【背景技術】
【０００２】
近年、撮像素子を用いて画像データを取得し、記憶媒体に保存した画像データをＬＣＤなどの表示手段で表示することができるデジタルカメラが広く普及してきている。デジタルカメラで撮影した画像データは、表示手段で見ることができるため、紙媒体に印刷する必要がなく、プリント写真のように劣化することがないという利点を有するが、一方でプリント写真のようにアルバム等の冊子に整理することができないという点が不利であった。よって従来は、画像データを効率的に保管することが困難であり、また画像データが整理されていないために画像から思い出される出来事が想起しにくいという問題もあった。
【０００３】
ところで、最近では例えば特許文献１，２に記載されているように、デジタルカメラなどで取得した画像データは、文字データ、画像データ、動画データ、及び音データなどからなるコンテンツデータを使用して編集をすることが一般的となっている。また、特許文献１に記載のデジタルカメラ又はカメラでは、内蔵されたＧＰＳ（Ｇｌｏｂａｌ  Ｐｏｓｉｔｉｏｎｉｎｇ  Ｓｙｓｔｅｍ）装置を用いて写真（画像）の撮影時における位置情報を収集し、この位置情報を写真（画像）に関連付けして保存し、さらに写真撮影場所に関するコンテンツデータを含むデータベースにアクセス可能なインターフェース及びプロセサを備えた構成となっており、このデータベースから取得したコンテンツデータを使用して画像編集が可能となっている。
【０００４】
さらにまた、特許文献２記載のデジタルカメラでも、内蔵されたＧＰＳ装置を用いて撮影時における位置、日付などの条件情報を画像データに関連付けして記録している。この特許文献２では、観光地に関連する素材情報（コンテンツデータ）とプログラムが記録されたＣＤなどの記録媒体をユーザが観光地で購入するなどして取得することが記載されており、さらにこの記録媒体に記録された素材情報を用いて、デジタルカメラで取得した画像データから電子アルバム（フォトアルバム）を作成する構成が記載されている。なお、上述した記録媒体に記録されたプログラムは、ユーザが用意した画像データ等に記録された位置、日付等の条件情報に基づいて電子アルバムのオープニング（冒頭部分）の映像を自動決定または選択可能とするものである。
【０００５】
上述したように、デジタルカメラによって取得した多数の画像データに、コンテンツデータを使用して編集することによってフォトアルバム、さらには多数の画像データを動画データとしてまとめたフォトムービーと呼ばれるものを作成することができる。このようなフォトアルバムやフォトムービーは、多数の画像を１つのデータにまとめることができるため、ユーザが撮影した多数の画像データを整理することが可能となり、さらに、画像に面白い動きを付加するプログラムや画像に適した音楽などのコンテンツデータを使用することによって、もとの画像データに娯楽性を加えることができ、よりユーザーが楽しめるフォトムービーやフォトアルバムなどの画像作品を提供できる可能性がある。
【特許文献１】特開２００４−２８９８２５号公報
【特許文献２】特開２００５−１２８７８５号公報
【発明の開示】
【発明が解決しようとする課題】
【０００６】
しかしながら、上記特許文献２に記載されているような技術では、記録媒体に記録されたコンテンツデータから、画像データに合うものをユーザ自身が選択し、このコンテンツデータと、もとの画像データとを編集してフォトアルバムやフォトムービーを作成するものであり、フォトアルバムやフォトムービーが完成するまでに非常に手間や時間が掛かるという問題があった。また、上記特許文献１，２の技術を用いてフォトムービーやフォトアルバムを作成し、多数の画像データを１つにまとめることはできるが、これらのフォトムービーやフォトアルバム内での画像データの順序や配列などの整理はユーザ自身が入力しなければならず、撮影場所に即した内容で画像データを整理し、また思い出の想起に適した内容で、且つ娯楽性の高いフォトアルバム・フォトムービーを編集することは難しかった。さらにまた、特許文献１に記載のデジタルカメラでは、個々の画像データに合ったコンテンツデータを取得することはできるが、それらのコンテンツデータを使用して多数の画像データをフォトアルバムなどにまとめることは考慮されておらず、やはりフォトアルバムやフォトムービーを作成するのに手間や時間が掛かってしまう。
【０００７】
本発明は、上記事情を考慮してなされたものであり、複数の画像データに基づき、撮影場所に即した内容で画像を整理し、思い出の想起に適した内容で、娯楽性の高いフォトアルバム・フォトムービーなどの画像作品を容易に作成することが可能な画像編集装置及び画像編集プログラムを提供することを目的とする。
【課題を解決するための手段】
【０００８】
上記目的を達成するために、本発明の画像編集装置は、撮影地点の位置データを付与した複数の画像データを取得する画像データ取得手段と、複数のランドマークの位置及び名称を含むランドマークデータを備えたランドマークデータベースと、前記位置データに基づいて、前記ランドマークデータベースから前記画像データの撮影地点に関連するランドマークデータを検索する検索手段と、前記検索手段による検索結果から前記画像データにランドマークデータを関連付けし、このランドマークデータ毎に前記画像データをグループ化する画像データグループ化手段と、この画像データグループ化手段でグループ化した前記画像データの前記ランドマークデータに関連するコンテンツデータを前記コンテンツデータベースから読み込み、このコンテンツデータを使用して同じグループ内の画像データを編集する画像編集手段とを備えたことを特徴とする。なお、ランドマークとしては、ある特定の住所、駅名、施設、遊技場、遊園地、店舗などを設定しており、これらのランドマーク及び、それらの位置情報（座標情報）との対応を示すランドマークデータを使用する。
【０００９】
なお、前記ランドマークデータは、大規模施設名又は大規模地域名と、この大規模施設名又は大規模地域名の中に包含される小規模施設名又は小規模地域名とから少なくとも構成され、前記コンテンツデータは、前記大規模施設名又は大規模地域名、及び前記小規模施設名又は小規模地域名毎にそれぞれ対応しており、前記画像編集手段は、前記大規模施設名又は大規模地域名に対応するコンテンツデータから前記小規模施設名又は小規模地域名に対応するコンテンツデータへ前記コンテンツデータベースから順に読み込み、それぞれのコンテンツデータと対応する画像データとを組み合わせて編集することが好ましい。
【００１０】
また、前記検索手段によって、前記位置データに基づく複数のランドマークデータが読み込まれたとき、これら複数のランドマークデータに優先度を設定する優先度設定手段と、これら優先度が設定された複数のランドマークデータの中から選択して前記画像データに対応する１つのランドマークデータを決定する選択決定手段とを備えていることが好ましく、さらに、前記優先度は、前記位置データに基づく撮影地点と、前記ランドマークの立地点との距離が近い順に設定されていることが好ましい。
【００１１】
さらにまた、前記画像編集手段は、前記画像データと前記コンテンツデータとを組み合わせた動画データを少なくとも含むフォトムービーを作成すること、あるいは、前記画像データと前記コンテンツデータとを組み合わせた静止画が配列されたレイアウト画像を少なくとも含むフォトアルバムを作成することが好ましい。
【００１２】
請求項７記載の画像編集プログラムでは、撮影地点の位置データを付与した複数の画像データを取得する画像データ取得処理と、複数のランドマークの位置及び名称を含むランドマークデータを備えたランドマークデータベースから、前記位置データに基づいて、前記画像データの撮影地点に関連するランドマークデータを検索する検索処理と、この検索処理における検索結果から前記画像データにランドマークデータを関連付けし、このランドマークデータ毎に前記画像データをグループ化する画像データグループ化処理と、この画像データグループ化処理でグループ化した前記画像データの前記ランドマークデータに関連するコンテンツデータを前記コンテンツデータベースから読み込み、このコンテンツデータを使用して同じグループ内の画像データを編集する画像編集処理とをコンピュータに実行させることを特徴とする。
【００１３】
なお、前記ランドマークデータは、大規模施設名又は大規模地域名と、この大規模施設名又は大規模地域名の中に包含される小規模施設名又は小規模地域名とから少なくとも構成され、前記コンテンツデータは、前記大規模施設名又は大規模地域名、及び前記小規模施設名又は小規模地域名毎にそれぞれ対応しており、前記画像編集処理では、前記大規模施設名又は大規模地域名に対応するコンテンツデータから前記小規模施設名又は小規模地域名に対応するコンテンツデータへ前記コンテンツデータベースから順に読み込み、それぞれのコンテンツデータと対応する画像データとを組み合わせて編集することが好ましい。
【００１４】
また、前記検索手段処理で、前記位置データに基づく複数のランドマークデータが読み込まれたとき、これら複数のランドマークデータに優先度を設定する優先度設定処理と、これら優先度が設定された複数のランドマークデータの中から選択して前記画像データに対応する１つのランドマークデータを決定する選択決定処理とを備えていることが好ましい。さらに、前記優先度は、前記位置データに基づく撮影地点と、前記ランドマークの立地点との距離が近い順に設定されていることが好ましい。
【００１５】
さらにまた、前記画像編集処理では、前記画像データと前記コンテンツデータとを組み合わせた動画データを少なくとも含むフォトムービーを作成することや、前記画像データと前記コンテンツデータとを組み合わせた静止画が配列されたレイアウト画像を少なくとも含むフォトアルバムを作成することが好ましい。
【００１６】
なお、前記ランドマークデータは、施設又は地域内に他の施設又は地域が位置している（１つの施設又は地域の中に他の施設又は地域を包含する関係となっている）構成となっていることが好ましい。さらに、前記ランドマークデータベース及びコンテンツデータベースを記憶する記憶手段を備えること、または、前記データベースを記憶した外部データサーバーと通信可能な通信手段を備えることが好ましい。
【発明の効果】
【００１７】
本発明の画像編集装置及び画像編集プログラムによれば、撮影地点の位置データを付与した複数の画像データを取得する画像データ取得処理と、複数のランドマークの位置及び名称を含むランドマークデータを備えたランドマークデータベースから、前記位置データに基づいて、前記画像データの撮影地点に関連するランドマークデータを検索する検索処理と、この検索処理における検索結果から前記画像データにランドマークデータを関連付けし、このランドマークデータ毎に前記画像データをグループ化する画像データグループ化処理と、この画像データグループ化処理でグループ化した前記画像データの前記ランドマークデータに関連するコンテンツデータを前記コンテンツデータベースから読み込み、このコンテンツデータを使用して同じグループ内の画像データを編集する画像編集処理とを行っているので、撮影場所に即した内容で画像を整理し、思い出の想起に適した内容で、娯楽性の高いフォトアルバム・フォトムービーなどの画像作品を容易に作成することができる。
【００１８】
また、前記位置データに基づく複数のランドマークデータが読み込まれたとき、これら複数のランドマークデータに優先度を設定し、これら優先度が設定された複数のランドマークデータの中から選択して前記画像データに対応する１つのランドマークデータを決定しているので、さらに効率良く画像データの編集を行うことが可能となり、容易にフォトアルバム・フォトムービーなどの画像作品を作成することができる。
【発明を実施するための最良の形態】
【００１９】
図１に示すように、本発明を実施した画像編集装置２は、ＣＰＵ３（検索手段）（画像データグループ化手段）（画像編集手段），ＲＯＭ４，ＲＡＭ５，ＬＣＤパネル６，操作部７、メモリカードリーダ８、及びＨＤＤ（記憶手段）９を備えたパーソナルコンピュータから構成されている。操作部７は、キーボードやマウスなどから構成されており、ＣＰＵ３に各種データを入力する。
【００２０】
ＲＡＭ５には、後述する画像データ、及びこの画像データに付与された撮影時の位置データ、及びこの位置データに関するランドマークデータが保存される。これらのうち、画像データ及び位置データは、デジタルカメラ１１からメモリカード１５を介して取得される。
【００２１】
ＨＤＤ９には、ランドマークデータベースＤＢ１及びコンテンツデータＤＢ２が記憶されており、後述するランドマークデータの検索処理及びコンテンツデータ取得処理の際にそれぞれ使用される。
【００２２】
画像を撮影し、メモリカード１５に画像データを記憶する撮影手段としてのデジタルカメラ１１について説明する。デジタルカメラ１１は、シャッタボタンや撮影レンズ等を含む公知の撮影ユニット１２と、現在位置を測位してその位置データを取得するＧＰＳユニット１３と、制御部１４と、メモリカード１５にデータを書き込むメディアコントローラ１６とを備え、図示しないメモリカードスロットにメモリカード１５が着脱自在にセットされている。ＧＰＳユニット１３は、アンテナ１８、ＧＰＳ算出部１９を有する。アンテナ１８は、地球を周回しているＧＰＳ衛星からの電波を受信する。この受信した電波は、ＧＰＳ算出部１９に送られる。ＧＰＳ算出部１９には、入力された電波に基づき、現在位置の位置データ（緯度・経度）を算出する算出プログラムが格納されている。
【００２３】
撮影ユニット１２を操作して撮影を行うと、制御部１４からＧＰＳ算出部１９にプログラム起動信号が出力され、ＧＰＳ算出部１９は、算出プログラムを起動して、アンテナ１８から入力される電波に基づき、現在位置（撮影地点）の位置データ（緯度・経度）を算出し、算出した位置データを制御部１４に送る。そして、制御部１４は、撮影した画像データに、ＧＰＳ算出部１９から入力される撮影地点の位置データを付与した画像ファイルを作成し、この画像ファイルをメモリカード１５に記憶する。
【００２４】
複数の画像ファイルが記憶されたメモリカード１５は、デジタルカメラ１１から抜き取られた後、画像編集装置２のメモリカードリーダ８に装着される。このメモリカードリーダ８にメモリカード１５が接続されたとき、ＣＰＵ３はメモリカード１５内の画像ファイルを読み取り、読み取った画像データ及び位置データをＲＡＭ５に一時記憶し、そして、ＣＰＵ３は、詳しくは後述するように、画像データに付与された位置データに基づき、位置データに係るランドマーク（施設）データを検索し、検索したランドマークデータを画像データに付与した後、再度ＲＡＭ５に画像ファイルを記憶する。
【００２５】
さらに、ＲＯＭ４には、画像編集を行うための画像編集プログラムＰＧが格納されており、入力操作部７で、画像編集プログラムＰＧを開始するための入力、例えば、ＬＣＤ６に表示されたＧＵＩ（Ｇｒａｐｈｉｃａｌ  ＵＳＥＲ  Ｉｎｔｅｒｆａｃｅ）表示で画像編集プログラムＰＧを示すアイコンが画面に表示されたとき、このアイコンをクリックするなどの操作を行うことによって画像編集プログラムＰＧが起動する。あるいは、メモリカードリーダ８にメモリカード１５を装着することによって画像編集プログラムＰＧが自動的に起動する設定としてもよい。画像編集プログラムＰＧが起動すると、ＬＣＤ６には、先ず、図２に示すような画像分類画面３０が表示される。
【００２６】
画像分類画面３０は、画像ファイルの検索を行う検索ウィンドウ３１と、画像ファイルが保存されたフォルダの検索を補助するエクスプローラウィンドウ３２と、フォルダ内の画像ファイルに基づくサムネイル画像３３が表示されるサムネイルウィンドウ３４と、操作メニュー３５とが表示される。
【００２７】
サムネイルウィンドウ３４は、エクスプローラウィンドウ３２内の１つのフォルダにカーソル３６を合わせ、マウスのクリックボタンをクリックする、あるいは検索ウィンドウ３１で文字列を入力して画像ファイルを検索することで、それらの画像ファイルに基づくサムネイル画像３３が表示される。カーソル３６は、マウスの動きに連動して動くポインタである。
【００２８】
エクスプローラウィンドウ３２には、画像データに付与されたランドマークデータに基づくランドマーク名が、フォルダの名称としてツリー構造で一覧表示される。なお、エクスプローラウィンドウ３２に表示されるフォルダの種類としては、本実施形態では、ランドマークデータベースＤＢ１に記憶されたα市、α駅、α遊園地、β観覧車、γジェットコースター、θ市などのランドマーク名を含むランドマークデータに該当し、そのランドマーク名が題されたフォルダと、ランドマーク名を特定することができずに分類不能が題されたフォルダとが表示される。
【００２９】
なお、α駅及びα遊園地は、α市内に位置するランドマーク、すなわちα市がα駅及びα遊園地を包含する関係のランドマークであり、α駅フォルダ及びα遊園地フォルダは、α市フォルダ内に設けられている。β観覧車及びγジェットコースターは、α遊園地内に位置するランドマーク（α遊園地が、β観覧車及びγジェットコースターを包含する関係）であり、β観覧車フォルダ及びγジェットコースターフォルダは、α遊園地フォルダ内に設けられている。すなわち、α市フォルダとθ市フォルダと分類不能フォルダとは、ツリー構造で同等位のフォルダとなり、α駅フォルダ及びα遊園地フォルダは、α市フォルダの子フォルダとなり、β観覧車フォルダ及びγジェットコースターフォルダは、α遊園地フォルダの子フォルダで且つα市フォルダの孫フォルダとなる。本実施形態では、上記した子・孫の関係となるフォルダや同等のフォルダに題されたランドマークを、近接するランドマークと称する（例えば、β観覧車に近接するランドマークは、α市、α駅、α遊園地、γジェットコースター）。
【００３０】
入力操作部７を操作して、α市フォルダを開くと、α駅フォルダ及びα遊園地フォルダがエクスプローラウィンドウ３２に表示され、α遊園地フォルダを開くと、β観覧車フォルダ及びγジェットコースターフォルダがエクスプローラウィンドウ３２に表示される。そして、入力操作部７を操作して、例えばβ観覧車フォルダを選択すると、β観覧車に分類された画像データの画像が、サムネイルウィンドウ３４にサムネイル画像３３として一覧表示される。
【００３１】
ランドマークを特定することができずに分類不能となった画像データ（例えば、ランドマークデータが蓄積されていない一部の地域で撮影した画像データ）は、分類不能フォルダに分類される。
【００３２】
検索ウィンドウ３１の入力スペース３１ａに文字列（例えば、β観覧車）を入力し、入力操作部７を操作して検索開始ボタン３１ｂを操作する、あるいはエクスプローラウィンドウ３２内のフォルダの中からβ観覧車が題されたフォルダをクリック操作すると、ＣＰＵ３は、β観覧車に係る画像ファイルをＲＡＭ５内から検索し、検索された画像ファイルに基づくサムネイル画像３３をサムネイルウィンドウ３４に一覧表示する。
【００３３】
入力操作部７を操作して、サムネイルウィンドウ３４に表示されたサムネイル画像３３の１つ（例えば、β観覧車フォルダの画像）を選択すると、ＬＣＤ６には、図３に示すような画像確認画面４０が表示される。画像確認画面４０には、画像表示ウィンドウ４１と、ランドマーク名変更部４２と、が設けられている。画像表示ウィンドウ４１には、上記選択されたサムネイル画像３３の画像ファイルに基づくもとの画像が拡大表示される。
【００３４】
ランドマーク名変更部４２には、ランドマーク名表示部４２ａと、ランドマーク名選択部４２ｂと、ランドマーク名変更ボタン４２ｃと、が設けられている。ランドマーク名表示部４２ａには、画像表示ウィンドウ４１に表示された画像データに付与されたランドマークデータに基づくランドマークの名称（β観覧車）が表示され、ランドマーク名選択部４２ｂには、ランドマーク表示部４２ａに表示されたランドマーク（β観覧車）を除いて、撮影地点との距離が近い順番に並んだランドマークの名称が一覧表示される（例えば、ランドマーク名表示部４２ａに「β観覧車」と表示された場合には、「γジェットコースター」「α遊園地」、「α駅」、「α市」の順に表示される）。なお、画像データに付与されるランドマークデータは、後述するように、撮影地点が含まれる、あるいは撮影地点に最も近い位置のランドマークがＣＰＵ３によって選定されたものである。よって、ランドマーク名表示部４２ａ及びランドマーク名選定部４２を含むランドマーク名変更部４２には、位置データに基づく撮影地点との距離が近い順番に上から下へランドマークの名称が並んでいることとなる。
【００３５】
なお、本実施形態では、ＣＰＵ３は、ランドマークデータの優先度を設定する優先度設定手段として機能する。そして、本実施形態では、上述した撮影地点とランドマークとの距離の近さが、ランドマークデータの優先度として設定されているため、ランドマーク名変更部４２には、この優先度の高い順番にランドマークの名称が並んでいる。なお、本発明は、これに限らず、ランドマークの優先度として別の基準を設定し、その優先度に従って並べるようにしてもよく、例えば、人口の多い場所、人の通行量や、デジタルカメラによる撮影機会の多い場所など、様々なデータをとって各ランドマークの優先度を設定したり、また、ユーザが予め選択したキーワードを含むランドマークの優先度を高く設定したりするなど、各ランドマークの優先度に差が付くような設定であればどのようなものでもよい。
【００３６】
さらに、ＣＰＵ３は、上述した優先度が設定された複数のランドマークデータの中からユーザが選択入力を行うことで画像データに対応する１つのランドマークデータを決定する選択決定手段として機能する。なお、デジタルカメラ１１での撮影時には、上述したように撮影時における位置データを算出し、算出した位置データを画像データに付与しているが、ＧＰＳ衛星からの電波による撮影位置の算出には多少の誤差があり、ＧＰＳ算出部１９で算出した位置データが、実際の撮影位置とは異なる場合がある（例えば、γジェットコースターを撮影したときに、算出した位置データはβ観覧車の位置データ）。この場合の画像データには、ランドマークデータとしてβ観覧車のデータが記憶される。この画像データの画像を画像表示ウィンドウ４１に表示した場合には、画像の内容とランドマーク名表示部４２ａに表示されるランドマークの名称とが異なることになる。この場合には、ランドマーク名を正しいもの（γジェットコースター）に変更する必要がある。そこで入力操作部７を操作して、ランドマーク名選択部４２ｂに表示されたランドマーク名のいずれか（γジェットコースター）を選択すると、選択されたランドマーク名（γジェットコースター）がランドマーク名表示部４２ａに表示される。ここで、入力操作部７を操作してランドマーク名変更ボタン４２ｃを操作すると、ＣＰＵ３は、γジェットコースターのランドマークデータを、画像表示ウィンドウ４１に表示された画像データに付与し、関連付けしたデータをＲＡＭ５に記憶する。このとき、ＣＰＵ３は、画像データに付与されたランドマークデータは、既に保存されていたランドマークデータ（β観覧車）を削除し、その代わりに新たなランドマークデータ（γジェットコースター）を上書きして更新する。これにより、ランドマークデータを、画像に対応した正しいもの（γジェットコースター）に変更することができる。なお、上述したように、ランドマークの優先度として、撮影地点との距離の近さではなく、別の基準を設定してその優先度の順にランドマーク名を並べた場合でも、やはりユーザが優先度の最も高いものを自身で判定してランドマークデータの変更を可能とすればよい。
【００３７】
ＨＤＤ９のランドマークデータベースＤＢ１には、例えば、概略の日本地図データが記憶されている。なお、ランドマークデータを取得する範囲を世界中に設定する場合は、概略の世界地図データが記憶される。あるいは、国別の地図データを記憶し、ユーザが選択可能としてもよい。この地図データは、図４に概略的に二次元で示すように、始点緯度３０°、始点経度１２８°、終点緯度４６°、終点経度１４７°の範囲を、緯線方向に１°ピッチで、経線方向に４０分（２／３°）ピッチで等間隔に複数の分割エリアに分割した地図の地図データである。
【００３８】
地図データは、図５に示す分割エリアデータテーブルと、図６に示す分割エリア一覧テーブルとを含んで構成されている。分割エリアデータテーブルには、１個の分割エリアの経線方向の長さ（＝１°）、１個の分割エリアの緯線方向の長さ（＝２／３°）、経線方向の分割エリア個数（＝１９）、緯線方向の分割エリア個数（＝２４）、地図の始点緯度（＝３０°）、地図の始点経度（＝１２８°）が記憶されている。
【００３９】
分割エリア一覧テーブルには、全ての分割エリアの始点緯度及び始点経度のデータが記憶されている。地図データは、地図の始点となる図４中ハッチングされた分割エリアＡ（０，０）から、地図の終点となる分割エリアＡ（１８，２３）までの４５６個の分割エリアで構成される。なお、上記した（  ）内の数値は、左側の数値が、経線方向において分割エリアＡ（０，０）から何個目の分割エリアかを示し、右側の数値が、緯線方向において分割エリアＡ（０，０）から何個目の分割エリアかを示している。例えば、分割エリアＡ（１０，１５）は、経線方向において分割エリアＡ（０，０）から１０個目、緯線方向において分割エリアＡ（０，０）から１５個目の分割エリアとなる。
【００４０】
なお、図４〜図６においては、図面の煩雑化を避けるために、１個の分割エリアが、緯線方向に１°、経線方向に４０分（２／３°）となるように、地図データを等間隔で分割したが、実際には、もっと細かいピッチで分割されるものであり、例えば、１個の分割エリアは、緯線方向に１０ｋｍ、経線方向に１０ｋｍ程度であることが好ましく、分割エリアのサイズに応じて、経線方向の分割エリア個数と緯線方向の分割エリア個数とは変更されるものである。
【００４１】
図７に示すように、地図データには、複数の分割エリア毎に、分割エリア内に位置する主要なランドマーク（例えば、遊園地や駅や学校等）それぞれに割り振られたＩＤ番号、ランドマークの名前（ランドマーク名）、ランドマークのエリア座標（ランドマークエリア座標）、拡張幅、矩形エリア座標、親データ、子データの各セクションのデータが記憶されたランドマークデータテーブル（施設データ）が含まれている。本実施形態では、分割エリアＡ（１１，８）内に、α遊園地が位置し、このα遊園地内にβ観覧車及びγジェットコースターが位置する実施形態について説明を行う。なお、ランドマークとしては、これらに限らず、ある特定の住所、駅名、施設、遊技場、遊園地、店舗などを設定することが可能であり、それらの位置情報（座標情報）との対応を示すランドマークデータを使用する。
【００４２】
拡張幅セクションには、矩形エリア座標を形成するための、ランドマークエリア座標から四方に拡張させるための拡張幅（例えば、ｍ単位）が記憶されている。本実施形態では、α遊園地の拡張幅は５ｍ、β観覧車の拡張幅は３ｍ、γジェットコースターの拡張幅は３ｍに設定されている。なお、拡張幅の長さは適宜変更可能である。
【００４３】
α遊園地はＩＤ番号＝１００、β観覧車はＩＤ番号＝１０１、γジェットコースターはＩＤ番号＝１０２とされている。β観覧車及びγジェットコースターは、α遊園地内に位置するため、これらランドマークの親子関係（包含関係）としては、α遊園地を親としたときに、β観覧車及びγジェットコースターはα遊園地の子となる。このため、α遊園地の子データセクションには、β観覧車及びγジェットコースターのＩＤ番号である「１０１、１０２」が記憶され、β観覧車及びγジェットコースターの親データセクションには、α遊園地のＩＤ番号である「１００」が記憶されている。
【００４４】
図８は、α遊園地のエリアデータを概略的に二次元で示した平面図であり、α遊園地は、５角形状に形成されたランドマークであり、５個の頂点の各座標（（αｘ１，αｙ１）（αｘ２，αｙ２）（αｘ３，αｙ３）（αｘ４，αｙ４）（αｘ５，αｙ５））のデータが、ランドマークデータテーブルのランドマークエリア座標セクション（図５参照）に記憶されている。これら５個の頂点を通る線で囲まれたエリアが、α遊園地ランドマークエリアとなる。α遊園地から四方に拡張幅分（５ｍ）拡張されたエリアが、α遊園地拡張エリアとなり、さらには、α遊園地拡張エリアの緯線方向及び経線方向の頂点を通る線で矩形状に形成されたエリアが、α遊園地矩形エリアとなる。α遊園地矩形エリアの４個の頂点の各座標（（Ｒαｘ１，Ｒαｙ１）（Ｒαｘ２，Ｒαｙ２）（Ｒαｘ３，Ｒαｙ３）（Ｒαｘ４，Ｒαｙ４））のデータは、ランドマークデータテーブルの矩形エリア座標セクション（図７参照）に記憶されている。
【００４５】
図９は、α遊園地に設けられたβ観覧車のエリアデータを示した平面図である。β観覧車は、４角形状に形成されたランドマークであり、４個の頂点の各座標（（βｘ１，βｙ１）（βｘ２，βｙ２）（βｘ３，βｙ３）（βｘ４，βｙ４））のデータが、ランドマークデータテーブルのランドマークエリア座標セクション（図７参照）に記憶されている。これら４個の頂点を通る線で囲まれたエリアが、β観覧車ランドマークエリアとなる。β観覧車から四方に拡張幅分（３ｍ）拡張されたエリアが、β観覧車拡張エリアとなり、さらには、β観覧車拡張エリアの緯線方向及び経線方向の頂点を通る線で矩形状に形成されたエリアが、β観覧車矩形エリアとなる。β観覧車矩形エリアの４個の頂点の各座標（（Ｒβｘ１，Ｒβｙ１）（Ｒβｘ２，Ｒβｙ２）（Ｒβｘ３，Ｒβｙ３）（Ｒβｘ４，Ｒβｙ４））のデータは、ランドマークデータテーブルの矩形エリア座標セクション（図７参照）に記憶されている。
【００４６】
図１０は、α遊園地に設けられたγジェットコースターのエリアデータを示した平面図であり、γジェットコースターは、６角形状に形成されたランドマークであり、６個の頂点の各座標（（γｘ１，γｙ１）（γｘ２，γｙ２）（γｘ３，γｙ３）（γｘ４，γｙ４）（γｘ５，γｙ５）（γｘ６，γｙ６））のデータが、ランドマークデータテーブルのランドマークエリア座標セクション（図７参照）に記憶されている。これら６個の頂点を通る線で囲まれたエリアがγジェットコースターランドマークエリアとなる。γジェットコースターから四方に拡張幅分（３ｍ）拡張されたエリアが、γジェットコースター拡張エリアとなり、さらには、γジェットコースター拡張エリアの緯線方向及び経線方向の頂点を通る線で矩形状に形成されたエリアが、γジェットコースター矩形エリアとなる。γジェットコースター矩形エリアの４個の頂点の各座標（（Ｒγｘ１，Ｒγｙ１）（Ｒγｘ２，Ｒγｙ２）（Ｒγｘ３，Ｒγｙ３）（Ｒγｘ４，Ｒγｙ４）（Ｒγｘ５，Ｒγｙ５（Ｒγｘ５，Ｒγｙ５））のデータは、ランドマークデータテーブルの矩形エリア座標セクション（図５参照）に記憶されている。
【００４７】
メモリカードリーダ８にメモリカード１５を接続する（図１に示す状態）と、ＣＰＵ３は、メモリカード１５内の画像データを読み込み、読み込まれた画像データをＲＡＭ５に記憶する。そして、ＣＰＵ３は、画像データに付与された位置データ（例えば、入力位置＝Ｐ１（緯度＝３５．７°、経度＝１３９．７°））に基づき、ランドマークデータベースＤＢ１を検索して、ランドマークデータベースＤＢ１における地図データの全ての分割エリアから、入力位置が含まれる分割エリアを選定する。
【００４８】
分割エリアの検索方法としては、入力位置Ｐ１の緯度（＝３５．７°）から地図の始点緯度（＝３０°）を減算し、減算して得られた数値（＝５．７°）を１分割エリアの緯線方向の長さ（＝２／３°）で除算し、除算して得られた数値（＝８．５５）の小数点以下を切り捨てる。こうして得られた数値（＝８）が、緯線方向において始点分割エリア（図４におけるハッチングされた分割エリア）から何個目の分割エリアかを示す数値となる。
【００４９】
また、入力位置Ｐ１の経度（＝１３９．７°）から地図の始点経度（＝１２８°）を減算し、減算して得られた数値（＝１１．７°）を１分割エリアの経線方向の長さ（＝１°）で除算し、除算して得られた数値（＝１１．７）の小数点以下を切り捨てる。こうして得られた数値（＝１１）が、経線方向において始点分割エリア（図４におけるハッチングされた分割エリア）から何個目の分割エリアかを示す数値となる。入力位置データが、入力位置Ｐ１（緯度＝３５．７°、経度＝１３９．７°）の場合には、緯線方向において始点分割エリアから８個目、経線方向において始点分割エリアから１１個目の分割エリアとなる。このように、入力位置が含まれる分割エリアを、入力位置データ（緯度・経度）を用いて計算式により検索するから、入力位置データと全ての分割エリア（４５６個）とを対比させて、入力位置が含まれる分割エリアを検索するものに比べて、検索に要する時間を短縮することができる。
【００５０】
分割エリアの検索が終了すると、ＣＰＵ３は、次にランドマークの検索を行う。このとき、ＣＰＵ３は、上記したように検索（選定）された分割エリアＡ（１１，８）内のみのランドマークの検索を行う。本実施形態では、入力位置Ｐ１（緯度＝３５．７°、経度＝１３９．７°）が、α遊園地内のβ観覧車内の位置である場合について説明する。
【００５１】
ＣＰＵ３は、分割エリアＡ（１１，８）内のランドマークを検索し、入力位置Ｐ１が含まれる矩形エリア（１個または複数）を選定する。入力位置Ｐ１の場合には、検索結果として、α遊園地矩形エリアとβ観覧車矩形エリアとが選定される。
【００５２】
次に、ＣＰＵ３は、入力位置Ｐ１からα遊園地ランドマークエリア及びβ観覧車ランドマークエリアまでの距離Ｌ（距離Ｌα、距離Ｌβ）を算出する。先ず、入力位置Ｐ１が各ランドマークエリア内の位置であるかを、公知の判定方法である多角形の内外判定法により判定する。ここで、入力位置Ｐ１がランドマークエリア内の位置であると判定された場合、上記した距離Ｌ＝０（ゼロ）となる。一方、入力位置Ｐ１がランドマークエリア内の位置でないと判定された場合、入力位置Ｐ１からランドマークエリアを形成する各辺までの最短距離が距離Ｌとなる。入力位置Ｐ１はα遊園地内のβ観覧車内の位置であり、α遊園地ランドマークエリアに対する距離ＬはＬα１＝０（ゼロ）となり、β観覧車ランドマークエリアに対する距離Ｌβ１＝０（ゼロ）となる。
【００５３】
そして、ＣＰＵ３は、距離Ｌ＝０となるランドマークがあるか否かを判定する。ＣＰＵ３は、距離Ｌ＝０となるランドマークがある（α遊園地、β観覧車）と判定した場合には、距離Ｌ＝０となるランドマーク（α遊園地、β観覧車）から、親データセクションに親データとしてのＩＤ番号が記憶されたランドマーク（β観覧車）を特定し、特定されたランドマーク（β観覧車）の親データセクションに記憶されているＩＤ番号のランドマーク（α遊園地）を、上記選定されたランドマーク（α遊園地、β観覧車）から消去して、ランドマークの選別を行う。これにより、入力位置Ｐ１（緯度＝３５．７°、経度＝１３９．７°）のランドマークは、β観覧車に選定される。
【００５４】
次に、ＣＰＵ３は、最終的に選定されたランドマーク（β観覧車）のランドマークデータを画像データに付与した画像ファイルとしてＲＡＭ５に記憶する。なお、ランドマークデータを画像データに付与してＲＡＭ５に記憶する代わりに、ランドマークデータと画像データとを関連付けする情報をＲＡＭ５に記憶するようにしてもよい。
【００５５】
また、図８に示すように、入力位置データ（入力位置Ｐ２）が、α遊園地外で拡張エリア内を示す位置データである場合（距離Ｌ＝０となるランドマークがないと判定された（Ｌ＞０）場合）には、ＣＰＵ３は、入力位置Ｐ２が含まれる矩形エリアを有するランドマークの検索結果として、α遊園地を選定する。次に、入力位置Ｐ２からランドマークエリア座標セクションに記憶されたα遊園地ランドマークエリアまでの距離Ｌを計算し、距離Ｌα２として算出する。そして、ＣＰＵ３は、距離Ｌ（距離Ｌα２）と、ランドマークデータテーブルのα遊園地の拡張幅セクションに記憶された拡張幅とが、距離Ｌ≦拡張幅の関係を満たしているか否かを判定する。距離Ｌが距離Ｌα２の場合には、距離Ｌ≦拡張幅と判定され、α遊園地は最終的に選定するランドマークとして選定される。
【００５６】
そして、ＣＰＵ３は、最終的に選定されたランドマーク（α遊園地）に基づくランドマークデータを、ＬＣＤ６に出力して、ＬＣＤ６に、ランドマーク名（α遊園地）を表示する（例えば、「この画像の撮影地点はα遊園地です」）とともに、最終的に選定されたランドマーク（α遊園地）のランドマーク名データを画像データに付与した画像ファイルをＲＡＭ５に記憶する。
【００５７】
また、図８に示すように、入力位置データ（入力位置Ｐ３）が、拡張エリア外で矩形エリア内を示す位置データである場合には、ＣＰＵ３は、入力位置Ｐ３が含まれる矩形エリアを有するランドマークの検索結果として、α遊園地を選定する。次に、入力位置Ｐ３からランドマークエリア座標セクションに記憶されたα遊園地のランドマークエリアまでの距離Ｌを計算し、距離Ｌα３として算出する。そして、ＣＰＵ３は、距離Ｌ≦拡張幅の関係を満たしているか否かを判定する。なお、入力位置Ｐ３が含まれる矩形エリアを有するランドマークが複数ある場合には、複数のランドマークのうちの入力位置Ｐ３から最も近いランドマーク（この場合には、α遊園地）に対して判定を行う。距離Ｌ＝距離Ｌα３の場合には、距離Ｌ≦拡張幅でない判定され、α遊園地は最終的に選定するランドマークとしては選定されない。すなわち、入力位置Ｐ３（撮影地点）は、ランドマーク内ではないと判定される。この場合には、ＣＰＵ３は、「撮影地点は主要のランドマーク内ではない」旨のデータを、ＬＣＤ６に出力して、ＬＣＤ６に、「この画像の撮影地点は主要のランドマーク内ではありません」と表示するとともに「この画像の撮影地点は主要のランドマーク内ではない」旨のデータを画像データに付与し、その画像ファイルをＲＡＭ５に記憶する。
【００５８】
以上のようにして、メモリカード１５から画像ファイルが読み込まれた後、ＣＰＵ３は、画像データにランドマークデータを付与してＲＡＭ５に保存し、同じランドマークデータが付された画像データ毎に同じフォルダにグループ化する。そして、画像編集プログラムＰＧによってメモリカード１５の画像データが全てグループ化され、またランドマークデータの修正が終了すると、ユーザは入力操作部７を操作してフォトアルバムを作成する画像編集処理を開始する。なお、本実施形態では、図１１に示すフォルダ及びこのフォルダ内に分類された画像ファイルを用いてフォトアルバムを作成する場合を例に上げて説明する。なお、この図１１に示すフォルダ５０も、上記と同様に、複数の画像データにランドマークデータが付与されてＲＡＭ５に保存され、さらに画像編集プログラムＰＧでグループ化されたものである。このフォルダ５０は、「フランス」というランドマーク名が題され、さらにこのフォルダ５０の中に「シャンゼリゼ通り」、「凱旋門」、「エッフェル塔」というランドマーク名が題された子フォルダ５１ａ〜５１ｃがそれぞれ設けられており、これらの子フォルダ５１ａ〜５１ｃの中に各画像ファイル５２ａ〜５２ｄ，５３ａ〜５３ｄ，５４ａ〜５４ｄがそれぞれ保存されている。なお、フォルダの個数及び画像の枚数はこれらに限るものではない。そして「シャンゼリゼ通り」の子フォルダ５１ａには、「フランス／シャンゼリゼ通り」のランドマークデータが付与された各画像ファイル５２ａ〜５２ｄが保存されており、同様に「凱旋門」「エッフェル塔」の子フォルダ５１ｂ，５１ｃには、「フランス／凱旋門」、及び「フランス／エッフェル塔」のランドマークデータが付与された画像ファイル５３ａ〜５３ｄ，５４ａ〜５４ｄがそれぞれ保存されている。
【００５９】
このようなフォルダ５０に保存された画像ファイル５２ａ〜５２ｄ，５３ａ〜５３ｄ，５４ａ〜５４ｄを用いて行う画像編集処理について、本実施形態では、ランドマークデータに関連するコンテンツデータを取得した後、ユーザが自分で編集処理を行ってフォトアルバムやフォトムービーを作成する場合と、ランドマークデータに関連するコンテンツデータを取得し、さらに画像データとコンテンツデータとを合成してフォトアルバムを作成する処理までを画像編集プログラムが自動的に実行する場合とに分けて説明する。
【００６０】
この画像編集処理を開始する操作としては、例えば画像分類画面３０のエクスプローラウィンドウ３２に編集対象となるフォルダ５０が表示された状態、あるいはエクスプローラウィンドウ３２内で編集対象となるフォルダ５０のみをクリック操作し、フォルダ５０の画像が反転表示された状態など、編集対象のフォルダ５０の選択が確定されたことを示す状態となったときに、上方に位置する操作メニュー３５の画像編集ボタン３５Ａ、あるいはコンテンツデータ取得ボタン３５Ｂをクリックすることによって行われる。画像編集ボタン３５Ａをマウスでクリック操作すると、フォトアルバムを自動的に作成する処理が開始される。
【００６１】
画像編集ボタン３５Ａがクリック操作されると、ＣＰＵ３は、フォルダ５０内の画像ファイル５２ａ〜５２ｄ，５３ａ〜５３ｄ，５４ａ〜５４ｄのランドマークデータをＲＡＭ５から読み込み、このランドマークデータに関連するコンテンツデータをコンテンツデータベースＤＢ２から読み込む。なお、このとき、ＣＰＵ３は、フォルダ５０に題された「フランス」（大規模地域名又は大規模施設名）というランドマークに関するコンテンツデータを先に読み込み、次に子フォルダ５１ａ〜５１ｃに題された「シャンゼリゼ通り」、「凱旋門」、「エッフェル塔」（小規模地域名又は小規模施設名）というランドマークに関するコンテンツデータへと順に読み込んでいく。
【００６２】
本実施形態では、上述したように「フランス」というランドマーク名が題されたフォルダ５０内の画像ファイル５２ａ〜５２ｄ，５３ａ〜５３ｄ，５４ａ〜５４ｄと、これらに付与されたランドマークデータに関するコンテンツデータを使用して編集を行い、フォトアルバムを作成する。画像編集装置２で作成されたフォトアルバムは、図１２及び図１３に示すようなレイアウト画像６０，６２からなる。このフォトアルバムの構成としては先ず、図１２に示す表紙のレイアウト画像６０が作成される。このレイアウト画像６０は、上方から下方へ順に、国旗画像６２、タイトル文字６３、日付６４、代表画像６５ａ〜６５ｃが配置されており、タイトル文字６３は、フォルダ５０に題された名称である「フランス」に関するコンテンツデータが使用され、例えばアルファベット表記の「ＦＲＡＮＣＥ」をもとにしてデザインした画像データがコンテンツデータベースＤＢ２から読み込まれて使用される。また、日付６４は、画像ファイル５２ａ〜５２ｄ，５３ａ〜５３ｄ，５４ａ〜５４ｄに付与された日付データを読み込み、例えば２００５／８／２４，２００５／８／２５，２００５／８／２６という日付が記録されていた場合、これらをまとめた２００５／８／２４〜２６という表記のコンテンツデータが読み込まれて使用している。
【００６３】
さらに代表画像６５ａ〜６５ｃは、各子フォルダ５１ａ〜５１ｃ内の画像ファイル５２ａ〜５２ｄ，５３ａ〜５３ｄ，５４ａ〜５４ｄの中から代表する画像をそれぞれ選定して配置したものである。なお、この代表画像の選定においては、例えば、ユーザが各子フォルダ５１ａ〜５１ｃの画像ファイル５２ａ〜５２ｄ，５３ａ〜５３ｄ，５４ａ〜５４ｄの中からそれぞれ１つの画像を選択するように入力を行う設定にしてもよい。あるいは各フォルダ５１ａ〜５１ｃの一番最初に保存されている画像ファイル５２ａ，５３ａ，５４ａの画像を使用するようにしてもよい。さらにこの代表画像６５ａ〜６５ｃは、フォトアルバムの各ページにリンクするメニューとして設定されており、表紙のレイアウト画像６０を再生表示したとき、これらの代表画像６５ａ〜６５ｃのいずれかの位置でマウスをクリックすると、対応する子フォルダ５１ａ〜５１ｂごとの「シャンゼリゼ通り」、「凱旋門」、「エッフェル塔」に対応する画像ファイル５２ａ〜５２ｄ，５３ａ〜５３ｄ，５４ａ〜５４ｄからそれぞれ作成されたレイアウト画像のページに画面が切り換えられる。
【００６４】
さらに、レイアウト画像６０では、「フランス」に関するコンテンツデータとしてフランスの国旗であるトリコロールといわれる三色旗の国旗画像６２をコンテンツデータベースＤＢ２から読み込んでレイアウトしている。なおレイアウト画像６０に使用するコンテンツデータとしてはこのようなもの限らず、地図や名産品、著名な人物などフランスに関連するものであればよい。
【００６５】
次に、各子フォルダ５１ａ〜５１ｂごとの画像ファイル５２ａ〜５２ｄ，５３ａ〜５３ｄ，５４ａ〜５４ｄに基づく画像をそれぞれ配置したレイアウト画像を作成する。このようなレイアウト画像７０は、図１３に示すような構成になっている。なおこの図１３に示すレイアウト画像７０では、「シャンゼリゼ通り」が題されたフォルダ５１ａ内の画像ファイル５２ａ〜５２ｄ及びこれに関するコンテンツデータをコンテンツデータベースＤＢ２から読み込んで作成したものである。
【００６６】
このレイアウト画像７０は、タイトル文字７１、国旗画像７２、日付７３、画像７４、フランス地図画像７５、表紙に戻るボタン７７、次の頁に進むボタン７８、全体タイトル７９などが配置されており、タイトル文字７１は、子フォルダ５１ａに題された名称である「シャンゼリゼ通り」に関する画像のコンテンツデータを使用する。また、日付７２は子フォルダ５１ａ内の画像データに付与されている日付データを読み込んでこの日付に関するコンテンツデータを取得して使用する。また、フランス地図画像７５は、例えば「シャンゼリゼ通り」を示す位置がマーク７５ａで印されたフランス地図の画像データを使用する。そして、このフランス地図画像７５の周囲に子フォルダ５１ａ内の画像ファイル５２ａ〜５２ｄに基づく画像を適正な間隔を置いてレイアウトする。また、表紙に戻るボタン７７は、レイアウト画像７０が表示されたとき、クリック操作すると、表紙のレイアウト画像６０に画面の表示が戻る。また、次の頁に進むボタン７８をクリック操作すると、次の頁のレイアウト画像、例えば「凱旋門」に対応する画像ファイル５３ａ〜５３ｄから作成されたレイアウト画像のページに画面が切り換えられる。また全体タイトル７９は、表紙のレイアウト画像６０で使用した「ＦＲＡＮＣＥ」の画像データや日付データから構成される。
【００６７】
また、子フォルダ５１ｂ，５１ｃ内の画像ファイル５３ａ〜５３ｄ，５４ａ〜５４ｄに基づいてそれぞれレイアウトしたレイアウト画像も、レイアウト画像７０と同様に作成される。このようにして作成されたフォトアルバムは、専用の再生プログラム、あるいは、インターネットエクスプローラー（製品名）などの汎用表示プログラム上で再生可能となっており、フォトアルバムを再生すると先ず表紙のレイアウト画像６０が再生され、上述したようにリンク設定されている各代表画像をクリックすることによって、子フォルダ５１ａ〜５１ｃ毎のレイアウト画像７０などに切り換えて表示することができる。よって、このようなフォトアルバムでは、全ての画像がランドマークデータに基づいて分類され、整理された状態のレイアウト画像を閲覧することが可能であり、また所望の画像を探したいときでも、ランドマーク、日付などを目印にすればユーザが容易に検索を行うことができる。
【００６８】
上記構成の画像編集装置２を用いてフォトアルバムを作成するときの作用について図１４及び図１５のフローチャートに沿って説明する。図１４は、画像ファイルをメモリカード１５から読み込み、フォトアルバムが完成するまでの流れの概略を示すフローチャートである。メモリカード１５をメモリカードリーダ８に接続すると、ＣＰＵ３は、メモリカード１５内の画像を読み込み、読み込んだ画像データをＲＡＭ５に記憶する（ステップ（以下、Ｓ）１）。次に、ＣＰＵ３は、画像データに付与された位置データに基づき、ランドマークデータベースＤＢ１を検索して、撮影地点のランドマークを選定する。そしてＣＰＵ３は選定されたランドマークに基づくランドマークデータを各画像ファイルに付与して画像ファイルをＲＡＭ５に記憶する。
【００６９】
そして、画像編集プログラムＰＧが起動すると、ＣＰＵ３は、画像分類画面３０を表示するとともに、画像データに付与されたランドマークデータに基づき、各ランドマーク名が題されたフォルダ内に、対応するランドマークデータが付された画像ファイルを分類し、グループ化した状態にして再度画像ファイルをＲＡＭ５に記憶する（Ｓ２）。そして、ユーザは画像分類画面３０及び画像確認画面４０を見ながらランドマークデータの選定及び変更を行う（Ｓ３）。グループ化及びランドマークデータの修正が終了すると、ユーザは所望のフォルダを選択した状態で画像編集ボタン３５Ａを押圧操作し、画像編集処理が開始される。
【００７０】
画像編集処理が開始されると、ＣＰＵ３は、先ず、フォトアルバム全体の構成、例えば表紙のレイアウトや、この表紙からリンクする各頁のレイアウトなどの構成を決定し（Ｓ４）、次に、対象となるフォルダ内の画像ファイルに付与されたランドマークデータを読み込み、このランドマークデータに対応するコンテンツデータをコンテンツデータベースＤＢ２から読み込む。このコンテンツデータ取得からレイアウト画像の作成までの流れを図５のフローチャートに示す。なお、上述のようにランドマークデータに対応するコンテンツデータを取得したとき（Ｓ１）、対象となるコンテンツデータが多数蓄積されている場合、ＣＰＵ３は、これらの中からユーザが所望するものを選択する（Ｓ２）ようにし、選択されたコンテンツデータのみをフォトアルバムの作成に使用する設定にすればよい。そして、ＣＰＵ３は、対象となるフォルダ内の画像ファイルと、コンテンツデータとを使用して編集し、フォトアルバムの各レイアウト画像を作成する（Ｓ３）。各レイアウト画像の作成が終了すると、プレビュー画像をＬＣＤ６に表示し（Ｓ４）、ユーザがこれを見て確認する。なお、この場合、例えば上述した画像分類画面３０のサムネイルウィンドウ３４がプレビューウィンドウに切り換わり、そのプレビューウィンドウにプレビュー画像が表示される。また、これに限らず例えばプレビューウィンドウが画像分類画面３０の各ウィンドウとは別に表示されるようにしてもよい。そして、ユーザがプレビュー画像通りのレイアウト画像でよければ確定操作、例えば、操作メニュー３５の確定ボタン３５Ｃ（図２参照）をクリック操作するなどしてレイアウト画像を確定し、フォトアルバムが完成する（Ｓ５）。なお、プレビュー画像を見てレイアウト画像が気に入らない場合、ユーザはキャンセル操作を行ってレイアウト画像の作成をやり直すことができる。なお、このキャンセル操作については例えば、操作メニューのキャンセルボタン３５Ｄ（図２参照）をクリックする。そして図１４のフローチャートに示すように、フォトアルバムの各レイアウト画像が作成され（Ｓ５）、フォトアルバムが完成すると、このフォトアルバムのデータがＨＤＤ９に保存され（Ｓ６）、画像編集プログラムＰＧが終了する。
【００７１】
このようにして位置データに基づくランドマークデータを選定して同じランドマークが付された画像データ毎にグループ化し、さらにランドマークデータに関するコンテンツデータを取得して画像編集を行うことができるので、撮影場所に即した内容で多数の画像を自動的に整理して編集することが可能となり、娯楽性の高いフォトアルバムを容易に作成することができる。また、同じランドマーク毎に画像をグループ化してフォトアルバムを作成しているので、この画像編集装置で作成したフォトアルバムを再生することによって、画像から思い出される出来事を容易に想起することができる。
【００７２】
なお、上記第１実施形態では、画像データに付与されたランドマークデータに関するコンテンツデータを取得して自動的にフォトアルバムを作成する例を示しているが、本発明は、これに限らず、ランドマークデータに基づくコンテンツデータを取得した後は、ユーザが、画像編集プログラムＰＧとは別のアプリケーションなどを使用し、編集条件などをユーザがマニュアル操作で入力して編集作業を行い、フォトアルバムやフォトムービーなどを作成する構成としてもよい。
【００７３】
また、上記第２実施形態においては、画像データと、コンテンツデータを用いて自動的にフォトアルバムを作成する構成を例に上げて説明しているが、本発明はこれに限るものではなく、コンテンツデータとして、動画データ、音声データ、特殊効果のプログラムなどを取得し、これらと画像データとを使用してフォトムービーを作成することもできる。以下で説明する第２実施形態では、位置データが付与された複数の画像データを取得し、これらの画像データからフォトムービーを作る場合を例に上げる。なお、画像編集装置の各部の構成としては、上記実施形態と同様であり、図面を省略する。
【００７４】
本実施形態で作成されるフォトムービーとは、画像データ（静止画）を素材として編集し、あたかも動画のような動きをする擬似動画のことであり、画像データの編集の具体例としては、例えば、静止画の一部を切り出して部分的にクローズアップする電子ズーム処理や、切り出し枠の位置を元の静止画の端から端へ移動させることで擬似的に視点を移動させる電子パーン処理、装飾画像との合成処理、静止画の画像コマ自体を直進や、回転させる移動処理などがあり、静止画に対してこうした特殊効果（エフェクト）を与えることでフォトムービーが作成される。本実施形態では、画像データに付与された位置データからランドマークデータを選定してランドマーク毎に画像データをグループ化し、さらにランドマークに関するコンテンツデータを取得するまでの処理を上記第１実施形態と同様に行って、さらにこの取得したコンテンツデータと元の画像データとを用いてフォトムービーを作成するものである。なお、本実施形態では、フォトムービー作成の際に使用するコンテンツデータとして、ランドマークデータに関連する画像データや文字データなど上記第１実施形態と同様のコンテンツデータに加えて、静止画に特殊効果（エフェクト）を加えるためのプログラムや、動画データ、音楽などの音声データがコンテンツデータベースＤＢ２に記憶されている。なお、これらのプログラムや、動画データ、音声データなどについてはランドマークデータに関連するものを設定し、取得可能とするようにしてもよい。
【００７５】
本実施形態の作用について、図１６及び図１７のフローチャートに沿って説明する。図１６は、画像ファイルをメモリカード１５から読み込み、フォトムービーが完成するまでの流れの概略を示すフローチャートである。メモリカード１５をメモリカードリーダ８に接続すると、ＣＰＵ３は、メモリカード１５内の画像を読み込み、読み込んだ画像データをＲＡＭ５に記憶する（Ｓ１）。次に、ＣＰＵ３は、画像データに付与された位置データに基づき、ランドマークデータベースＤＢ１を検索して、撮影地点のランドマークを選定する。そしてＣＰＵ３は選定されたランドマークに基づくランドマークデータを各画像ファイルに付与した後、画像ファイルをＲＡＭ５に記憶する。
【００７６】
そして、画像編集プログラムＰＧが起動すると、ＣＰＵ３は、画像データに付与されたランドマークデータに基づき、各ランドマーク名が題されたフォルダ内に、ランドマークデータ毎にグループ化した状態にして再度画像ファイルをＲＡＭ５に記憶する（Ｓ２）。また、このとき、ランドマーク名称の選定・変更を行う（Ｓ３）。グループ化が終了すると、ユーザは所望のフォルダを選択した状態で画像編集ボタン３５Ａを押圧操作し、画像編集処理が開始される。画像編集処理が開始されると、ＣＰＵ３は、先ず、フォトムービー全体の構成を決定し（Ｓ４）、次に、対象となるフォルダ内の画像ファイルに付与されたランドマークデータを読み込み、このランドマークデータに対応するコンテンツデータ（画像データ、文字データ、動画データ、特殊効果（エフェクト）用のプログラム、音声データなど）をコンテンツデータベースＤＢ２から読み込む。このコンテンツデータ取得からレイアウト画像の作成までの流れを図１７のフローチャートに示す。そして、ＣＰＵ３は、ランドマークデータに関連するコンテンツデータを取得し（Ｓ１）、さらに使用するコンテンツデータの選択（Ｓ２）を行った後、対象となるフォルダ内の画像ファイルと、コンテンツデータとを使用して編集し、フォトムービーの各動画データを作成する。各動画データの作成が終了すると、プレビュー動画をＬＣＤ６に表示し、ユーザがこれを見て確認する。なお、この場合、例えば上述した画像分類画面３０のサムネイルウィンドウ３４がプレビューウィンドウに切り換わり、そのプレビューウィンドウにプレビュー動画が表示される（Ｓ４）。そして、ユーザがプレビュー動画通りの動画データでよければ確定操作をして動画データを確定し（Ｓ５）、フォトムービーが完成する。なお、プレビュー動画が気に入らない場合、ユーザはキャンセル操作を行ってフォトムービーの作成をやり直すことができる。そして図１６のフローチャートに締めウＳように、フォトムービーの各動画データが作成され（Ｓ５）、フォトアルバムが完成すると、このフォトアルバムのデータがＨＤＤ９に保存され（Ｓ６）、画像編集プログラムが終了する。
【００７７】
このようにして画像データに付されたランドマークデータ毎にグループ化し、さらにランドマークデータに関するコンテンツデータを取得して画像編集を行うことができるので、多数の画像データを撮影場所に即した内容で自動的に整理して編集することが可能となり、娯楽性の高いフォトムービーを簡単に作成することができる。また、同じランドマーク毎にグループ化してフォトムービーを作成しているので、この画像編集装置で作成したフォトムービーを再生することによって、画像から思い出される出来事を容易に想起することができる。
【００７８】
なお、上記実施形態では、ＨＤＤ９にランドマークデータベースやコンテンツデータベースを記憶したが、ネットワークを介して接続可能なサーバーにランドマークデータベースやコンテンツデータベースを備え、これらのデータベースからランドマークデータやコンテンツデータを検索する構成としてもよい。
【図面の簡単な説明】
【００７９】
【図１】本発明を実施した画像編集装置とデジタルカメラとの電気的構成を示す機能ブロック図である。
【図２】画像分類画面を示す平面図である。
【図３】画像確認画面を示す平面図である。
【図４】地図データの地図領域を示す平面図である。
【図５】分割エリアデータテーブルの説明図である。
【図６】分割エリア一覧テーブルの説明図である。
【図７】ランドマークデータテーブルの説明図である。
【図８】α遊園地の地図領域を示す平面図である。
【図９】β観覧車の地図領域を示す平面図である。
【図１０】γジェットコースターの地図領域を示す平面図である。
【図１１】画像編集装置によって分類された画像ファイルのフォルダ構成の一例を示す説明図である。
【図１２】画像編集装置によって編集されたフォトアルバムの表紙画像の一例を示す平面図である。
【図１３】画像編集装置によって編集されたフォトアルバムのレイアウト画像の一例を示す平面図である。
【図１４】画像ファイルを読み込み、フォトアルバムを作成するまでのシーケンスを示すフローチャートである。
【図１５】コンテンツデータを取得し、フォトアルバムの各レイアウト画像を作成するまっでのシーケンスを示すフローチャートである。
【図１６】画像ファイルを読み込み、フォトムービーを作成するまでのシーケンスを示すフローチャートである。
【図１７】コンテンツデータを取得し、フォトムービーの各動画データを作成するまっでのシーケンスを示すフローチャートである。
【符号の説明】
【００８０】
２  画像分類装置
３  ＣＰＵ（検索手段）（画像データグループ化手段）（画像編集手段）
４  ＲＯＭ
５  ＲＡＭ
６  ＬＣＤ
７  入力操作部（入力手段）
９  ＨＤＤ
１１  デジタルカメラ
１５  メモリカード
【図１】
2007194948.tif 000003
【図２】
2007194948.tif 000004
【図３】
2007194948.tif 000005
【図４】
2007194948.tif 000006
【図５】
2007194948.tif 000007
【図６】
2007194948.tif 000008
【図７】
2007194948.tif 000009
【図８】
2007194948.tif 000010
【図９】
2007194948.tif 000011
【図１０】
2007194948.tif 000012
【図１１】
2007194948.tif 000013
【図１２】
2007194948.tif 000014
【図１３】
2007194948.tif 000015
【図１４】
2007194948.tif 000016
【図１５】
2007194948.tif 000017
【図１６】
2007194948.tif 000018
【図１７】
2007194948.tif 000019